(57)【要約】【課題】筐体を卓上面に自立させた際に撮影窓までの高さを十分に確保でき、安定して自立させることが可能な携帯端末装置を提供する。【解決手段】互いに重ね合わせ可能に配置される２つの筐体２０、３０と、該２つの筐体２０、３０のうちの一方の筐体２０の対向面２１に略垂直な軸線を中心に２つの筐体２０、３０の一端部２０ａ、３０ａ同士を相互に回転可能に連結する連結部１２とを有する携帯端末装置において、前記２つの筐体２０、３０のうち一の筐体３０にカメラ部を備えると共に、前記一の筐体３０の対向面を除く表面であって、前記一の筐体の一端部３０ａ側に前記カメラ部の撮影窓を備え、かつ前記２つの筐体２０、３０の各他端部２０ｂ、３０ｂに、当該２つの筐体２０、３０が所定角度まで回動した状態で卓上面１上に自立させる自立面Ａを備えることを特徴とする。【選択図】      図２
2005051439.tif 000002
【特許請求の範囲】
【請求項１】
互いに重ね合わせ可能に配置される２つの筐体と、該２つの筐体のうち一方の筐体の対向面に略垂直な軸線を中心に前記２つの筐体の一端部同士を相互に回転可能に連結する連結部とを有する携帯端末装置において、
前記２つの筐体のうち一の筐体にカメラ部を備えると共に、前記一の筐体の対向面を除く表面であって、前記一の筐体の一端部側に前記カメラ部の撮影窓を備え、かつ前記２つの筐体の各他端部に、当該２つの筐体が所定角度まで回動した状態で卓上面上に自立させる自立面を備えることを特徴とする携帯端末装置。
【請求項２】
請求項１に記載の携帯端末装置において、
前記自立面は、前記２つの筐体の各他端部の角部を切り欠いた切欠面であることを特徴とする携帯端末装置。
【請求項３】
請求項１に記載の携帯端末装置において、前記２つの筐体の各他端部に各々着脱可能な脚部材を備えると共に、前記脚部材に前記自立面を有することを特徴とする携帯端末装置。
【請求項４】
請求項１乃至請求項３のいずれか一つに記載の携帯端末装置において、前記カメラ部は前記撮影窓の後方に回転自在に配置されると共に、前記カメラ部を前記筐体の自立状態で撮影に適した向きに回転位置決めする位置決め機構を有することを特徴とする携帯端末装置。
【発明の詳細な説明】
【０００１】
【発明の属する技術分野】
本発明は携帯端末装置に係り、より詳細には、２つの筐体の一端部同士を相互に回転可能に連結していずれか一方の筐体にカメラ部を備えた携帯端末装置に関する。
【０００２】
【従来の技術】
【特許文献１】
実開２００３−１８２４９号公報
【０００３】
近年、携帯電話機、ＰＤＡなどの携帯端末装置において、筐体にカメラ部を内蔵した構造が主流になりつつあり、例えば、携帯性を向上して小型化するため、第１筐体及び第２筐体をお互いに開閉可能に連結し、この連結部近傍にカメラ部を配置したもの（例えば、特許文献１参照）がよく知られている。図１０は、このような従来の携帯端末装置の一実施形態を示す図である。また、図１１は、図１０に示した携帯端末装置による撮影状態を示す概略図である。また、図１２は、図１１に示した携帯端末装置の撮影状態で撮影した画像を示す概略図である。
【０００４】
図１０に示すように、従来の携帯端末装置の一実施形態は、折り畳み式の携帯電話機の外装を第１筐体８０及び第２筐体９０により一対に形成した筐体７０を備え、連結部７２を中心に連結して互いが重なり合う閉状態と互いが離間する開状態とに回動可能に構成されている。ここで、第１筐体８０は他方の第２筐体９０に対向する表面に表示部（ＬＣＤ画面）８４を設け、これに対向する第２筐体９０の表面には複数の操作キー９４を備えている。そして、第１筐体８０には、表示部８４に対し反対側、すなわち閉状態で外側に向かって撮影するカメラ部８２を内蔵し、連結部７２側の角部に近接して撮影窓８０ａを設けて露出させている。一方、第２筐体９０には、連結部７２側の上部に出没可能に設けた矩形枠状のファインダ９６と、この上部の連結部７２から離間した遊端側にシャッタボタン９８とを設けている。
【０００５】
このような構成からなる従来の携帯端末装置の一実施形態は、例えば、図１１に示すように、筐体７０を卓上面１に自立させて遠隔操作またはタイマー設定により撮影する場合、連結部７２を中心に第１筐体８０と第２筐体９０とを重ね合わせて折り畳んだ閉状態にするとともに、ファインダ９６が突出した側面を上側に向けて被写体から十分に離して自立させる。この際、ファインダ９６は、撮影を行う際に通常のカメラのファインダと同様に用いることができるため、図１２に示すように、視差が少ない良好な画像を撮影することが可能になる。
【０００６】
【発明が解決しようとする課題】
しかしながら、従来の携帯端末装置では、筐体７０を折り畳んだ閉状態で卓上面１に自立させた場合、図１１に示した卓上面１から筐体７０の撮影窓８０ａ（カメラ部８２）までの高さＤを十分に確保することが困難なため、図１２に示したように撮影した画像に卓上面１が写り込む恐れがあった。
また、従来の携帯端末装置では、図１１に示したように筐体７０のファインダ９６を上側に向けて筐体７０を横方向に倒す自立に対し、縦方向に自立させて卓上面１から撮影窓８０ａまでの高さを確保しようとしても安定性が悪く自立させることができないといった課題があった。
【０００７】
【発明の目的】
本発明はこのような課題を解決し、筐体を卓上面に自立させた際に撮影窓までの高さを十分に確保でき、安定して自立させることが可能な携帯端末装置を提供することを目的とする。
【０００８】
【課題を解決するための手段】
本発明は上述の課題を解決するために、請求項１に係る発明は、互いに重ね合わせ可能に配置される２つの筐体と、該２つの筐体のうち一方の筐体の対向面に略垂直な軸線を中心に前記２つの筐体の一端部同士を相互に回転可能に連結する連結部とを有する携帯端末装置において、前記２つの筐体のうち一の筐体にカメラ部を備えると共に、前記一の筐体の対向面を除く表面であって、前記一の筐体の一端部側に前記カメラ部の撮影窓を備え、かつ前記２つの筐体の各他端部に、当該２つの筐体が所定角度まで回動した状態で卓上面上に自立させる自立面を備えることを特徴とする。
【０００９】
請求項２に係る発明は、請求項１に記載の携帯端末装置において、前記自立面は、前記２つの筐体の各他端部の角部を切り欠いた切欠面であることを特徴とする。
【００１０】
請求項３に係る発明は、請求項１に記載の携帯端末装置において、前記２つの筐体の各他端部に各々着脱可能な脚部材を備えると共に、前記脚部材に前記自立面を有することを特徴とする。
【００１１】
請求項４に係る発明は、請求項１乃至請求項３のいずれか一つに記載の携帯端末装置において、前記カメラ部は前記撮影窓の後方に回転自在に配置されると共に、前記カメラ部を前記筐体の自立状態で撮影に適した向きに回転位置決めする位置決め機構を有することを特徴とする。
【００１２】
【発明の実施の形態】
次に、添付図面を参照して本発明による携帯端末装置の実施の形態を詳細に説明する。図１は、本発明による携帯端末装置の一実施形態を示す図であり、図１（ａ）は正面側から見た斜視図を、図１（ｂ）は背面側から見た斜視図を各々示している。また、図２は、図１に示した筐体１０を卓上面に自立させた状態を示す図であり、図２（ａ）は正面図を、図２（ｂ）は背面図を各々示している。また、図３は、図１に示した筐体１０の内部構造の概略を示す斜視図である。また、図４は、図１に示した筐体１０の閉状態を示す斜視図である。また、図５は、図３に示した筐体１０の内部構造の概略を示すブロック図である。また、図６は、本発明による携帯端末装置の他の実施形態を示す図であり、図６（ａ）はユーザーにより保持された状態を背面側から見た斜視図を、図６（ｂ）は自立した状態を背面側から見た斜視図を各々示している。また、図７は、図６に示した筐体１０の内部構造の概略を示すブロック図である。また、図８は、図３に示したカメラ部の他の例を示す図である。また、図９は、図１及び図６に示した自立面の他の例を示す正面図である。
【００１３】
図１に示すように、本発明による携帯端末装置の一実施形態は、図１０に示した従来技術とは異なり、互いに重ね合わせ可能に配置される第１筐体２０及び第２筐体３０と、第１筐体２０の対向面２１に略垂直な軸線を中心に２つの筐体２０、３０の一端部２０ａ、３０ａ同士を相互に回転可能に連結する連結部１２とを有し、この連結部１２の軸線を中心に第１筐体２０又は第２筐体３０を回転させて開閉する筐体１０を構成するようになっている。また、本実施の形態では、第１筐体２０の一端部２０ａにはカメラ部２２を内蔵すると共に、連結部１２の近傍に配置して露出させるカメラ部２２の撮影窓２０ａを有し、他方の第２筐体３０にはカメラ部２２が撮影した画像を表示する表示部３２を備えている。また、第１筐体２０には、第２筐体３０が回転して重なる対向面２０ｃに複数の操作キー２５を設けている。そして、この筐体１０は、図２に示すように、第１筐体２０及び第２筐体３０が所定の角度で回転して開いた他端部２０ｂ、３０ｂで卓上面１と平行して自立させる自立面Ａを備えている。この自立面Ａは、図１（ａ）に示した第１筐体２０及び第２筐体３０の他端部２０ｂ、３０ｂの角部を平坦に切り欠いた切欠面により形成している。従って、この２つの筐体１０は、図２に示した所定の角度で開いた際に、自立面Ａによって卓上面１に自立させることで、カメラ部２２と卓上面１との距離を十分に確保でき、撮影した画像に卓上面１が写り込むことを防止することができるようになっている。
【００１４】
また、カメラ部２２は、位置決め機構によりカメラ部２２の向きを変更、位置決めできるようになっており、図３に示すように、カメラ部２２は筐体１０内（図３では第１筐体２０内）で撮影方向を軸に回転可能に軸支し、モータなどの駆動源２３にギヤ２２ｂ及び２３ａを介して係合させている。これによりカメラ部２２は、図２に示した２つの筐体１０を回転させて開いた状態に自立させたとき、このカメラ部２２上端が常に卓上面１の鉛直上方に位置するように駆動源２３でカメラ部２２を回転させることができる。
【００１５】
一方、表示部３２についても、図３に示したカメラ部２２とともに回転する表示画像を鉛直方向に補正して表示部３２に表示させる必要があるため、筐体１０内に鉛直方向を検出するジャイロセンサ等の検出部２１と、この検出部２１の鉛直情報を受けて表示部３２に画像補正して表示する画像処理手段２４ｅ（図５参照）とを備えている。これにより表示部３２では、図１に示した第１筐体２０を固定して他方の第２筐体３０を閉状態に回転させた場合、筐体１０内の検出部２１と画像処理手段２４ｅとにより、図４に示すように、表示部３２の回転に応じて画像を鉛直方向に補正表示するようになっている。
【００１６】
より詳しく説明すると、筐体１０内には、図３に示したように、複数の部品（図示せず）を実装した回路基板２４を収納しており、この回路基板２４に表示部３２、駆動源２３、及び検出部２１を各々電気的に接続して配置している。この回路基板２４は、図５に示すように、装置全体を制御するＣＰＵ２４ａと、このＣＰＵ２４ａに検出部２１を接続するためのＡ／Ｄ変換器２４ｂと、駆動源（サーボモータ）２３をＣＰＵ２４ａに接続するＤ／Ａ変換器２４ｃと、ＣＰＵ２４ａに接続して制御されてカメラ部２２を駆動させるカメラインターフェースＩＣ２４ｄと、カメラ部２２からの画像情報をＣＰＵ２４ａを介して受けて、検出部２１の情報に従って画像補正して表示部３２に表示する画像処理手段２４ｅと、種々の情報を記憶するメモリ記憶装置２４ｆとを備えている。
【００１７】
このような回路基板２４を備えた筐体１０の内部構造による動作は、カメラ部２２上端が常に鉛直上方を向くように、検出部２１及び駆動源２３を利用することでコントロールする。この際、まず、カメラ部２２の近傍に角度を検出できる検出部２１を取り付ける（図３参照）。そして、筐体１０を回転した時、検出部２１から出力される電圧を予めＡ／Ｄ変換器２４ｂに入力し、さらにＣＰＵ２４ａを介してメモリ記憶装置２４ｆに角度と電圧の関係値とを記憶しておく。以上の情報を事前に準備しておくことにより、以降は検出部２１が検知した角度をＡ／Ｄ変換器２４ｂに入力し、その値に対するＤ／Ａ値をＣＰＵ２４ａが判断し、このＤ／Ａ値をＤ／Ａ変換器２４ｃに与える。これによりカメラ部２２に係合した駆動源２３が駆動してカメラ部２２を所定の角度に回転させる。即ち、予めメモリ記憶装置２４ｆに予め記憶した角度と、検出部２１が検知した角度とをＣＰＵ２４ｆが比較し、カメラ部２２を回転させる値がＤ／Ａ変換器２４ｃを介して駆動源２３に与える構成となっている。さらに、このＣＰＵ２４ａが比較した値は、画像処理手段２４ｅに入力され、この画像補正手段２４ｅによりカメラ部２２が撮影した画像を所定の角度に回転補正し、図２（ａ）に示したように、表示部３２の傾きに応じて画像が常に卓上面１に対して鉛直方向を向くようになっている。従って、本実施の形態では、２つの筐体２０、３０の他端部２０ｂ、３０ｂの角部に切り欠いた自立面Ａを形成して所定の角度に開いた状態で自立（図２参照）させ、カメラ部２２の上端と表示部３２の画像上部とが常に卓上面１に対して鉛直上方を向くように設けることで、ユーザーにとって見やすい良好な撮影が可能となり、同時に卓上面１の写り込みを防止することができる。
【００１８】
このように、本発明による携帯端末装置の一実施形態によると、図２に示したように、第１筐体２０及び第２筐体３０の他端部に自立面Ａを設け、この２つの筐体１０が所定の角度で回転して開いた両下端に自立面Ａが位置し、上方に連結部１２が位置した状態で卓上面１に自立させることができるため、カメラ部２２を一定の高さに配置でき、撮影した画像に卓上面１が写り込むことを確実に防止できる。
【００１９】
また、本発明による携帯端末装置の一実施形態によると、前述したように、カメラ部２２を一定の高さに配置した状態で自立面Ａにより筐体１０を自立させることができるため、この自立面Ａの面積を十分確保することでカメラ部２２を卓上面１から一定の高さに配置しても安定して自立させることができ、良好な撮影が可能になる。
【００２０】
次に、図６及び図７を参照して、本発明による携帯端末装置の他の実施形態を詳細に説明する。ここで、図６に示すカメラ部２６以外は、全て図３に示した携帯端末装置と同じ構成要素であり、同じ構成要素には同一の符号を記載するとともに、重複する説明は省略する。
【００２１】
図６に示すように、本発明による携帯端末装置の他の実施形態は、図１に示した携帯端末装置と同様に、操作キー（図示せず）及びカメラ部２６を設けた第１筐体２０と表示部３２（図７参照）を設けた第２筐体３０とを重ね合わせ、各一端部同士を第１筐体２０の対向面に略垂直な軸線を中心に回転可能に連結する連結部１２を有した筐体１０を備え、この筐体１０内に収納されて画像処理手段２４ｅ（図７参照）を有した回路基板２４と、表示部３２に表示画像を補正して表示させるための鉛直情報を検出する検出部２１とを備えている。また、筐体１０には、第１筐体２０及び第２筐体３０の他端部の角部に各々平坦に切り欠いた自立面Ａを形成している。
【００２２】
ここで、カメラ部２６の位置決め機構として、図３に示したギヤを介して駆動源に係合して駆動する機構とは異なり、カメラ部２６を筐体１０内に撮影方向を軸にして回転可能に軸支するとともに、位置決め機構としてその軸から編心した位置（カメラ部２６の一部の側面）に重り２６ａを設けてこの自重により回転するように設けている。これによりカメラ部２６は、第１筐体２０又は第２筐体３０と共に回転することなく、上端が常に卓上面の鉛直上方に位置するように重り２６ａの自重で回転させることができる。即ち、カメラ部２６は、例えば、図６（ａ）に示した第１筐体２０をユーザーが保持して第２筐体３０を開いた開状態と、図６（ｂ）に示した筐体１０を所定の角度に回転させて自立面Ａにより自立させた状態とで、カメラ部２６の重り２６ａが常に自重により垂直下方を向くように回転し、撮影後の画像が上下反転または傾くことを防止している。
【００２３】
一方、回路基板２４は、図７に示すように、駆動源とそれを駆動するためのＤ／Ａ変換器が不用になり、装置全体を制御するＣＰＵ２４ａと、このＣＰＵ２４ａに検出部２１を接続するためのＡ／Ｄ変換器２４ｂと、ＣＰＵ２４ａに接続して制御されてカメラ部２６を駆動させるカメラインターフェースＩＣ２４ｄと、カメラ部２６からの画像情報をＣＰＵ２４ａを介して受けて検出部２１の情報に従って画像補正して表示部３２に表示させる画像処理手段２４ｅと、種々の情報を記憶するメモリ記憶装置２４ｆとを各々備えている。
【００２４】
このような回路基板２４を収納した筐体１０の内部構造による動作は、まず、重り２６ａによる自重でカメラ部２６が単独で回転するとともに、検出部２１の検出情報に基づいて画像処理手段２４ｅが表示部３２に表示する画像の回転補正を行う。この際、画像処理手段２４ｅ及びＡ／Ｄ変換器２４ｂの動作は、図５に示した回路基板の動作と同様であるため、重複する説明は省略する。従って、この筐体１０内では、図３に示した筐体とは異なり、回転するカメラ部２６と表示部３２の画像とを各々異なった方法により別々に補正するように形成し、これにより構成部品（駆動源及びＤ／Ａ変換器）の削減を実現することができる。
【００２５】
このように、本発明による携帯端末装置の他の実施形態によると、２つの筐体２０、３０を所定の角度に開いて自立面Ａにより自立させることができるため、図１に示した携帯端末装置と同様の効果を得ることができるとともに、カメラ部２６を回転させる駆動源とＤ／Ａ変換器とが不用になるため、部品を削減して装置全体のコストを低減することが可能になる。
【００２６】
ところで、図３及び６に示したカメラ部２２、２６は、筐体１０内の軸に回転可能に軸支させた実施例を詳細に説明したが、これに限定されるものではなく、例えば、図８に示すように、筐体１０内にベアリング２８を設けて回転可能に軸支しても良い。このベアリング２８は、筐体１０内に外周２８ａを固定し、この内側でボールを介して回転可能に支持された内周２８ｂにカメラ部２７を固定して軸支する。この際、カメラ部２７は、ベアリング２８の内周２８ｂの中心から編心した位置に重り２７ａを設けている。
【００２７】
また、図１及び図６に示した筐体１０には、各筐体２０、３０の他端部２０ｂ、３０ｂの角部を切り欠いて自立面Ａを形成した実施例を詳細に説明したが、これに限定されるものではなく、例えば、図９に示すように、第１筐体５０及び第２筐体６０からなる筐体４０の角部を切り欠くことなく、この筐体４０を任意の角度に回転させて開いた両下端の角部に着脱可能に構成され、筐体４０が開く角度に応じて卓上面１に平行な自立面Ｂを備えて自立させる脚部材４４を２箇所設けるようにしてもよい。この脚部材４４は、筐体４０が任意の角度で開いた両下端の角部形状に合わせて嵌入する凹部Ｃと、この凹部Ｃの下端面に卓上面１に平行する自立面Ｂとを一体に形成している。この際、脚部材４４は、筐体４０を開いた両下端の角部に２箇所設けているが、これを一体の板状に設けて凹部Ｃを開く角度に合わせて複数設けることも可能である。従って、このような脚部材４４によると、自立面Ｂ或いは凹部Ｃの形状を変えて複数形成、または一体の板状上面に凹部Ｃを複数設けることにより、筐体４０を開く角度を自由に変えることができ、卓上面１からカメラ部（図示せず）までの高さを適宜調整することが可能になる。
【００２８】
以上、本発明による携帯端末装置の実施の形態を詳細に説明したが、本発明は前述した実施の形態に限定されるものではなく、その要旨を逸脱しない範囲で変更可能である。
例えば、第１及び第２筐体全ての四隅角部を切り欠いた自立面の実施例を説明したが、これに限定されるものではなく、例えば、２つの筐体が所定の角度に回転して開いた両下端の角部のみを自立面に形成してもよい。
【００２９】
【発明の効果】
以上ように本発明によれば、筐体を卓上面に自立させた際にカメラの撮影窓までの高さを十分に確保でき、また、安定して自立させることが可能な携帯端末装置を提供することができる。
【図面の簡単な説明】
【図１】本発明による携帯端末装置の一実施形態を示す図。
【図２】図１に示した筐体を卓上面に自立させた状態を示す図。
【図３】図１に示した筐体の内部構造の概略を示す斜視図。
【図４】図１に示した筐体の閉状態を示す斜視図。
【図５】図３に示した筐体の内部構造の概略を示すブロック図。
【図６】本発明による携帯端末装置の他の実施形態を示す図。
【図７】図６に示した筐体の内部構造の概略を示すブロック図。
【図８】図３に示したカメラ部の他の例を示す図。
【図９】図１及び図６に示した自立面の他の例を示す正面図。
【図１０】従来の携帯端末装置の一実施形態を示す図。
【図１１】図１０に示した携帯端末装置による撮影状態を示す概略図。
【図１２】図１１に示した携帯端末装置の撮影状態で撮影した画像を示す概略図。
【符号の説明】
Ａ    自立面
１    卓上面
１０    筐体
１２    連結部
２０    第１筐体
２０ａ  一端部
２０ｂ  他端部
２０ｃ  対向面
２１    検出部
２２    カメラ部
２２ａ  撮影窓
２３    駆動源
２４    回路基板
２５    操作キー
３０    第２筐体
３０ａ  一端部
３０ｂ  他端部
３２    表示部
【図１】
2005051439.tif 000003
【図２】
2005051439.tif 000004
【図３】
2005051439.tif 000005
【図４】
2005051439.tif 000006
【図５】
2005051439.tif 000007
【図６】
2005051439.tif 000008
【図７】
2005051439.tif 000009
【図８】
2005051439.tif 000010
【図９】
2005051439.tif 000011
【図１０】
2005051439.tif 000012
【図１１】
2005051439.tif 000013
【図１２】
2005051439.tif 000014